(57)【要約】【課題】ロウソクの灯明は火災の危険があり、火災回避の１手段として、タイマを利用した電気式灯明制御装置がある。この電気式灯明制御装置は、電源スイッチの他に起動スイッチを必要とし、また連続点灯とタイマ点灯の確認には、電源スイッチの操作釦を目視して行う必要があるなど、操作・運用面で問題がある。さらに商品化の進展著しいLED電球（ＡＣ１００Ｖ）を照明負荷として使用する際に不具合がある。【解決手段】起動スイッチの機能を電源スイッチに統合し操作を簡略化する。連続点灯で点灯する表示灯を設け、タイマ点灯との識別を可能にする。さらにタイマ点灯における制御をSSRからリレー接点に変更し、LED電球（ＡＣ１００Ｖ）の使用を可能とする。これにより操作・運用面を大きく改善する電気式仏壇照明制御装置を提供する。【選択図】図４
2008142311.tif 000002
【特許請求の範囲】
【請求項１】
商用電源を使用した仏壇照明器具の点灯・消灯制御において、操作釦を連続点灯釦と消灯とタイマ点灯釦に位置付ける電源スイッチを設ける。タイマ点灯釦はモーメンタリとする。タイマ点灯は、タイマ点灯釦を押下し行い、商用電源をリレー接点で出力する。タイマによる点灯保持時間満了後は出力を停止する。点灯保持時間は可変抵抗器により変更可能とする。連続点灯は、連続点灯釦を押下し行い、商用電源を出力し表示灯を点灯する。連続点灯からの消灯は、連続点灯釦を消灯の位置に戻し行い、商用電源の出力停止と表示灯を消灯する。商用電源の出力停止後は待機電力なしとする。このような電気式仏壇照明制御装置。
【発明の詳細な説明】
【技術分野】
【０００１】
本発明は、仏壇照明器具の電気式灯明や電気式置き灯篭の点灯・消灯制御にタイマを利用した電気式仏壇照明制御装置に関するものである。
【背景技術】
【０００２】
従来から、商用電源を使用したタイマによる仏壇照明器具の点灯・消灯制御装置があるが、この装置は、電源スイッチの他に起動スイッチを必要とし、また連続点灯とタイマ点灯の確認には、電源スイッチの操作釦を目視して行うなど、操作・運用面で問題がある。なおタイマ点灯における制御にSSRを用いている。
【特許文献１】特開２００６−２０８１９号公報
【発明の開示】
【発明が解決しようとする課題】
【０００３】
解決しようとする課題は、起動スイッチと電源スイッチを統合する。タイマ点灯と連続点灯の確認を容易に可能な方法とする。さらに商品化の進展著しいLED電球（ＡＣ１００Ｖ）を照明負荷として使用する際の不具合を解決することにある。
【課題を解決するための手段】
【０００４】
本発明は、電源スイッチに特性がON−OFF−（ON）で二極二接点の波動スイッチを用い、起動スイッチを統合する。連続点灯で点灯する表示灯を設ける。タイマ点灯における制御をSSRからリレーに変更する。
【発明の効果】
【０００５】
本発明は、従来の起動スイッチを電源スイッチに統合することで、回路と操作を簡略化する。連続点灯で点灯する表示灯を設け、タイマ点灯との識別を可能とする。タイマ点灯における制御をリレー接点で行うことで、LED電球（ＡＣ１００Ｖ）を使用する際の不具合を解消する。
【発明を実施するための最良の形態】
【０００６】
タイマ点灯は、操作釦のタイマ点灯釦を押下し行い、商用電源を出力する。タイマ点灯保持時間満了後に出力を停止する。タイマ点灯中にタイマ点灯釦を押下すると、点灯保持時間をリセットする。連続点灯は、操作釦の連続点灯釦を押下し行い、商用電源を出力する。同時に表示灯を点灯する。消灯は、操作釦の連続点灯釦を消灯の位置に戻し行い、商用電源の出力停止と表示灯を消灯する。またタイマ点灯における制御をリレーで行い、LED電球（AC100V）の使用を可能とする。これにより簡単な操作で実用性の高い電気式仏壇照明制御装置を実現する。
【実施例１】
【０００７】
図１は、請求項１に関わる本電気式仏壇照明制御装置の１実施例の回路図であって、商用電源を接続する入力端子（符号Ｔ１）と、仏壇照明器具と接続する出力端子（符号Ｔ２）を備える。次に回路について説明する。
【０００８】
電源スイッチは、特性がON−OFF−（ON）で２極２接点の波動スイッチを用い、操作釦を連続点灯釦と消灯とタイマ点灯釦に位置付ける。操作釦は当初消灯の位置にあり、電源スイッチの接点ＯＦＦ、リレーの接点ＯＦＦのため、T２への出力、および直流電源回路の起動を停止している。タイマ点灯は、操作釦の手前に位置するタイマ点灯釦（接点（ＯＮ））を押下し行う。タイマ点灯釦はモーメンタリであり消灯の位置に戻る。商用電源は、接点a１（ON）でT２に出力するとともに、直流電源回路を起動し、C１、BRIDGEDIODE、R１、ツエナーダイオードZD、平滑用コンデンサーC２、C３により、直流電圧を発生する。図中、正極は、リレー巻線とLEDに供給する電圧の高いV+H、タイマICに供給するV+で表示する。負極は、地気で表示する。長時間タイマIC（例はAN6783）は、V+を受けるとＯutをＨレベルにし、R３経由でTRのベースをHレベルにし、リレーを動作させる。リレー接点r１ONは、接点a１OFF以降、タイマ点灯保持時間が満了するまで、商用電源をT２に出力するとともに、直流電源回路に供給する。
【０００９】
点灯保持時間は、長時間タイマICの分周動作中の時間であり、CR発信回路の時限コンデンサーＣ４と時限抵抗（Ｒ２+ＶＲ）による発信周波数を、１５段分周器で分周することで決定する。分周動作は、接点a2(ON)が戻りResetの地気が切れると開始し、分周動作中はOutをHレベルとする。ＶＲを調整することにより任意の設定時間を得る。設定時間の近似式は１５．５２Cｔ（μF）・Rt（ｋΩ）で表され、Ct=2.2μF、Rt=２７ｋΩ+５００ｋΩVRで約１５分〜約５時間を得る。
【００１０】
分周動作満了により長時間タイマICはOutをLレベルにし、R３経由でＴＲのベースをLレベルにし、リレーを復旧させる。リレー接点ｒ１OFFは、商用電源のT２への出力停止と、直流電源回路への供給停止となる。これによりタイマ点灯保持時間満了後は、待機電力なしとなる。また分周動作中にタイマ点灯釦を押下すると、接点a２（ON）でタイマＩＣのResetが地気になり、分周動作をリセットする。これはタイマ点灯の時間延長をする場合に便利な機能となる。なお途中消灯する場合は、連続点灯に移行して行う。
【００１１】
次に連続点灯について説明する。操作釦の奥に位置する連続点灯釦（接点ＯＮ）を押下すると、接点b１ONで商用電源をT２に出力するとともに、直流電源回路を起動する。また接点b２の地気がD１を経由してTRのベースをLレベルにし、リレー動作を阻む。同様に接点b２の地気がD２を経由してLEDを点灯させる。LEDは表示灯であり、この点灯が連続点灯であることを表示する。
【００１２】
消灯は、連続点灯釦を消灯の位置に戻すことで行う。接点ｂ１OFFは、商用電源のT２への出力停止と、直流電源回路への供給停止となる。表示灯は消灯する。ただし長時間タイマICが分周動作中で、OutがHレベルの時に、消灯操作を行い、接点ｂ２の地気がOFFすると、直流電源の残エネルギーにより、TRのベースがHレベルになり、リレーが動作し、タイマ点灯に移行する。C６は、直流電源の残エネルギーではリレー動作が不可能となるまで、TRのベースをLレベルに保持するためのコンデンサーである。
【００１３】
また、タイマ点灯における制御を、ＳＳＲからリレー接点に変更することで、仏壇照明負荷を、従来からの白熱電球に加え、新たにＬＥＤ電球（AC100V）でも使用可能にする。現在、仏壇照明に使用可能なＬＥＤ電球（AC100V）にはLED豆球（AC100V０．５Wタイプ）があり、ＳＳＲでは一部のLED豆球で消灯時に暗点灯する不具合がある。
【００１４】
図２は、請求項１に関わる本電気式仏壇照明制御装置の１実施例の正面図である。
図３は、請求項１に関わる本電気式仏壇照明制御装置の１実施例の平面図である。図４は、請求項１に関わる本電気式仏壇照明制御装置の１実施例の右側面図である。図５は、請求項１に関わる本電気式仏壇照明制御装置の１実施例の背面図である。電気式仏壇照明制御装置は、操作性を考慮して、電源スイッチの操作釦１を上面手前に配置する。操作釦１の手前位置がタイマ点灯釦、奥の位置が連続点灯釦、中間位置が消灯となり、図では消灯を示す。正面に連続点灯で点灯する表示灯２、そして背面にVR調整ツマミ３、電源入力ジャック４、電源出力コード引出口５を配置する。電源入力コード（図示せず）は、片端に電源入力ジャック４に対向するプラグと、もう片端にコンセントと対抗するプラグを備える３メートル程度のコードとする。電源出力コード（図示せず）は、T２の片端とコンセントの片端を結ぶ１メートル程度のコードであり、電源出力コード引出口５を経由する。そして本電気式仏壇照明制御装置を安定設置するために４個の脚６を設ける。
【産業上の利用可能性】
【００１５】
本装置は、従来のタイマによる電気式灯明制御装置に対して、起動スイッチの機能を電源スイッチに統合する。連続点灯で点灯する表示灯を設け、タイマ点灯との識別を可能とする。さらに、商品化の進展著しいLED電球（ＡＣ１００Ｖ用）の使用を可能とする。これにより従来に増して操作性および利便性の高い装置となる。さらに本電気式仏壇照明制御装置は、筐体および電源スイッチの形状を変えることで、高所に設置することの多い電気式神棚照明器具の制御装置としても適用可能である。
【図面の簡単な説明】
【００１６】
【図１】請求項１の電気式仏壇照明制御装置の回路図である。
【図２】請求項１の電気式仏壇照明制御装置に関わる正面図である。
【図３】請求項１の電気式仏壇照明制御装置に関わる平面図である。
【図４】請求項１の電気式仏壇照明制御装置に関わる右側面図である。
【図５】請求項１の電気式仏壇照明制御装置に関わる背面図である。
【符号の説明】
【００１７】
１  操作釦
２  表示灯
３  VR調整ツマミ
４  電源入力ジャック
５  電源出力コード引出口
６  脚
【図１】
2008142311.tif 000003
【図２】
2008142311.tif 000004
【図３】
2008142311.tif 000005
【図４】
2008142311.tif 000006
【図５】
2008142311.tif 000007